(57)【要約】【課題】超音波診断装置において、保持する超音波プローブのケーブル同士の絡みが起こらないプローブホルダを提供する。【解決手段】プローブホルダ構造体は、超音波診断装置の操作卓１２に固定される取付基部２６及び支持台２４と、この支持台２４の中央に突設された軸部２４２を中心に回転可能に配設される回転ホルダ部２２から構成される。回転ホルダ部２２には超音波プローブ１２０を保持するポケット部２２２が複数設けられている。ポケット部２２２の側部のスリット２２４が支持台２４のスリット２５４の位置に来るときのみ、超音波プローブ１２０のケーブル１２２をスリット２２４及び２５４に通すことができ、超音波プローブ１２０をポケット部２２２に正しく収容できる。ポケット部２２２から超音波プローブ１２０をはずすと、回転ホルダ部２２が支持台２４に対してロックされ、回転できなくなる。【選択図】        図２
2004305603.tif 000002
【特許請求の範囲】
【請求項１】
超音波診断装置本体と、
前記超音波診断装置本体に対して回転可能に支持され、超音波プローブを保持する保持部を複数備え、回転によりそれら各保持部が所定の着脱位置に移動可能であり、前記保持部が前記着脱位置に位置するときにのみ当該保持部に対して超音波プローブを着脱可能に構成された回転ホルダ部と、
前記着脱位置に位置する前記保持部に超音波プローブが保持されていない場合に前記回転ホルダ部の回転動作を抑止する回転抑止部と、
を備える超音波診断装置。
【請求項２】
前記回転抑止部は、
前記超音波診断装置本体の前記着脱位置に対応する位置に取り付けられ、前記回転ホルダ部の前記各保持部に設けられた係合部と係合することにより前記回転ホルダ部を前記超音波診断装置本体に対してロックするロック部材と、
前記ロック部材を前記係合部と係合する方向に付勢する弾性部材と、
を備え、前記着脱位置に位置する前記保持部に超音波プローブが保持されていない状態では前記弾性部材の付勢力により前記ロック部材が前記係合部と係合し、保持されている状態ではその超音波プローブが前記ロック部材を前記係合部から離れる方向に押すことにより、前記ロック部材と前記係合部との係合が解除されることを特徴とする請求項１記載の超音波診断装置。
【請求項３】
前記保持部に装着されると前記ロック部材を前記係合部から離れる方向に押し、前記ロック部材と前記係合部との係合を解除するダミープローブを更に備える、請求項２記載の超音波診断装置。
【発明の詳細な説明】
【０００１】
【発明の属する技術分野】
本発明は、超音波プローブを保持するホルダ機構を備えた超音波診断装置に関するものである。
【０００２】
【従来の技術】
図６は、従来の超音波診断装置の操作卓周辺の様子を概略的に示す図である。この図に示すように、一般に超音波診断装置では、診断画像を表示するディスプレイ装置１０の前面側に操作卓１２が設けられており、この操作卓１２の側辺に沿ってプローブホルダ１１０が設けられている。プローブホルダ１１０には、超音波プローブを収容するポケット部１１２が複数（図示例では３つ）設けられている。超音波プローブ１２０にはケーブル１２２が付いており、そのケーブル１２２のもう一方の端は、ディスプレイ装置１０の下にある超音波診断装置本体の演算処理ユニット（図示省略）に接続されている。プローブホルダ１１０のポケット部１１２の側辺には、超音波プローブ１２０をポケット部１１２に入れる際に、ケーブル１２２を通すことができるようスリット１１４が設けられている。
【０００３】
超音波診断装置を用いた診察では、異なる種類の超音波プローブ１２０を取り換えながら診断を行うことが少なくない。
【０００４】
例えば、プローブホルダ１１０のポケット部１１２の数より少ない数で複数の超音波プローブ１２０が接続されている場合がある。このような場合、ユーザは、使い終えた超音波プローブ１２０をプローブホルダ１１０の空いているポケット部１１２に掛けることができる。したがって、使い終えた超音波プローブ１２０を必ずしも取り出したポケット部１１２に戻すとは限らない。取り出したポケット部１１２以外のポケット部１１２に戻すこともあった。
【０００５】
また、プローブホルダ１１０のポケット部１１２全てに超音波プローブ１２０が接続されている場合もあるが、このような場合であっても、使い終えた超音波プローブ１２０を取り出したポケット部１１２に掛ける前に、これから使おうとする別の超音波プローブ１２０がポケット部１１２から取り出し、そのポケット部１１２に使い終えた超音波プローブ１２０を掛けてしまうこともしばしばであった。
【０００６】
このように、診断を繰り返しているうちに、プローブホルダ１１１上での超音波プローブ１１２の配置順序が複雑に入れ替わり、ケーブル１２２同士が絡み合ってしまっていた。このような場合、超音波プローブ１２０の操作がしづらくなるので、ケーブル同士の絡みをほどく等の作業が必要となり、不便であった。
【０００７】
このような課題を解決すべく提案されている技術として、特許文献１に示すものがある。この技術では、「プローブ３０が載置されるプローブホルダ２２にコネクタ３１に対応したガイド２２ｂを設けたことにより、プローブの載置場所が決定され、ケーブル３０ａのもつれが防止される」としている。
【０００８】
しかしながら、ケーブル同士の絡みが生じる原因として、使い終えた超音波プローブを所定の保持すべき位置に戻さない扱いミスによる部分もあり、その点は十分解決されていないように思われる。
【０００９】
【特許文献１】
特開平９−２８７０５号公報
【００１０】
【発明が解決しようとする課題】
本発明は、複数の超音波プローブのケーブル同士の絡まないように保持できる超音波診断装置を提供しようとする点では、前述した公報に掲げられている目的と共通する。
【００１１】
しかし、本発明は、前述した公報において開示された機構と全く異なる機構であって、しかも極めて簡易な機構により構成したプローブホルダ部を有する超音波診断装置を提供するものである。
【００１２】
また、本発明では、所定の保持すべき位置に戻さない扱いミスによるケーブル同士の絡みが生じることがないようなプローブホルダ部を有する超音波診断装置を提供するものである。
【００１３】
【課題を解決するための手段】
本発明に係る超音波診断装置は、超音波診断装置本体と、前記超音波診断装置本体に対して回転可能に支持され、超音波プローブを保持する保持部を複数備え、回転によりそれら各保持部が所定の着脱位置に移動可能であり、前記保持部が前記着脱位置に位置するときにのみ当該保持部に対して超音波プローブを着脱可能に構成された回転ホルダ部と、前記着脱位置に位置する前記保持部に超音波プローブが保持されていない場合に前記回転ホルダ部の回転動作を抑止する回転抑止部と、を備える。
【００１４】
この構成では、保持部が着脱位置にあるときにしか、その保持部に対して超音波プローブを保持させたり、その保持部から取り出したりすることができない。また、着脱位置の保持部から超音波プローブを取り出した場合、回転抑止部により、回転ホルダ部が超音波診断装置本体に対して回転動作できない状態となる。
【００１５】
本発明の好適な態様では、前記回転抑止部は、前記超音波診断装置本体の前記着脱位置に対応する位置に取り付けられ、前記回転ホルダ部の前記各保持部に設けられた係合部と係合することにより前記回転ホルダ部を前記超音波診断装置本体に対してロックするロック部材と、前記ロック部材を前記係合部と係合する方向に付勢する弾性部材と、を備え、前記着脱位置に位置する前記保持部に超音波プローブが保持されていない状態では前記弾性部材の付勢力により前記ロック部材が前記係合部と係合し、保持されている状態ではその超音波プローブが前記ロック部材を前記係合部から離れる方向に押すことにより、前記ロック部材と前記係合部との係合が解除される。
【００１６】
更に好適には、超音波診断装置は、前記保持部に装着されると前記ロック部材を前記係合部から離れる方向に押し、前記ロック部材と前記係合部との係合を解除するダミープローブを更に備える。
【００１７】
【発明の実施の形態】
以下、本発明の実施の形態（以下実施形態という）について、図面に基づいて説明する。
【００１８】
図１は、本発明に係る超音波診断装置の要部を示す斜視図である。この図では、超音波診断装置のディスプレイ装置１０及び操作卓１２の部分を示し、その下にある演算処理ユニット等については省略している。また操作卓１２には、各種ボタンやポインティングデバイス等が設けられているが、これらは本発明と直接関係がないので表示を省略している。
【００１９】
図１に示すように、本実施形態では、診断画像を表示するディスプレイ装置１０の前方に設けられた操作卓１２の側辺に、複数の超音波プローブを保持できる回転式のプローブホルダ構造体２０を設けている。このプローブホルダ構造体２０は、従来の直線状のプローブホルダとは異なり、水平面内で図中矢印Ａに示す方向に回転可能となっている。
【００２０】
図２は、プローブホルダ構造体２０の構成と、そのプローブホルダ構造体２０の超音波診断装置本体への取付構造の概要を説明するための図である。
【００２１】
図２に示すように、プローブホルダ構造体２０は、大きく分けて回転ホルダ部２２と、支持台２４と取付基部２６とから構成される。取付基部２６が超音波診断装置本体の操作卓１２に対してネジ等で固定される。この取付基部２６に対して、支持台２４がネジ等で固定される。上から見た場合、支持台２４と取付基部２６とは、実質的に同じ形状を持っている。支持台２４には、軸部２４２が設けられている。回転ホルダ部２２は、支持台２４に対し、軸部２４２を回転軸として回転可能に取り付けられる。回転ホルダ部２２の周縁には、超音波プローブ１２０を保持するためのポケット部２２２が複数（この例では３つ）形成されている。また、操作卓１２の一方の側辺には、円盤状のプローブホルダ構造体２０の形状に合わせた円弧状の凹部１４が形成されている。
【００２２】
なお、特許請求の範囲における「超音波診断装置本体」なる用語は、本実施形態の超音波診断装置における、操作卓１２や支持台２４及び取付基部２６をも含んでいるものである。なお、本実施形態では、支持台２４を操作卓１２に取付固定する構成をとっているが、支持台２４に相当する構造を操作卓１２の一部として一体に形成することも可能である。
【００２３】
図３を参照して、プローブホルダ構造体２０の構造をより詳細に説明する。
【００２４】
円盤形状の回転ホルダ部２２の外周近傍には、超音波プローブ１２０を収容するためのポケット部２２２が形成されている。この例では、ポケット部２２２は、円形断面の窪みである。ポケット部２２２の底面から回転ホルダ部２２の外周側面にかけて、スリット２２４が形成されている。このスリット２２４の幅は、超音波プローブ１２０のケーブル１２２よりは広いが、超音波プローブ１２０の把手部（この部分がポケット部２２２に収容される）よりは狭いものとなっている。したがって、超音波プローブ１２０を該ポケット部２２２に収容する際にそのケーブル１２２を通すことができると共に、収容した超音波プローブ１２０が側方に外れないように保持することができる。
【００２５】
また円盤形状の回転ホルダ部２２の中心部には、支持台２４の軸部２４２と嵌合する軸受け穴２２６が設けられている。この軸受け穴２２６は、円筒形の軸受け壁２３０により形成されている。また、この軸受け穴２２６の中央には、軸部２４２の中心穴２４４に嵌合する中心軸筒２２８が突設されている。この中心軸筒は円筒状であり、該円筒の内部に、後述する突出軸２７２が嵌合する。
【００２６】
また、回転ホルダ部２２の軸受け穴２２６の内周面を形成する軸受け壁２３０には、各ポケット部２２２に対応するクリックスリット２３２が設けられている。クリックスリット２３２は、軸受け穴２２６の中心と、各ポケット部２２２のスリット２２４の幅方向の中央線とを結ぶ線上に設けられる。軸受け壁２３０は、クリックスリット２３２によって複数の部分に分割されている。
【００２７】
また、回転ホルダ部２２の軸受け壁２３０の外周（軸受け穴２２６の反対側の面）には、ロック係合板２８０をネジ止めするためのネジ穴部２３４が形成されている。
【００２８】
ロック係合板２８０は、回転ホルダ部２２の回転止め（ロック）のための部材の一つであり、ネジ２８４を前述のネジ穴部２３４にネジ止めすることで、回転ホルダ部２２に対して取付固定される。ロック係合板２８０には、後述するロック部材２６０（詳細は後述）の係合する係合溝２８２が形成されている。係合溝２８２は、各ポケット部２２２に対応して１つずつ設けられている。ロック係合板２８０を回転ホルダ部２２に正しく位置決めして固定すれば、ポケット部２２２のスリット２２４を支持台２４のスリット２５４（詳細は後述）に位置合わせすると、当該ポケット部２２２に対応する係合溝２８２がロック部材２６０と係合可能な位置に来ることになる。
【００２９】
一方、支持台２４は、軸部２４２が突設された円形の中央部２４８と、その中央部２４８を丸く取り囲む外周部２５０とが、根本部２４６にて連結されて形成されている。中央部２４８と外周部２５０との間には、円形ドーナツ状の間隙２５２が形成されている。この間隙２５２は、回転ホルダ部２２を軸部２４２を中心に回転させたときに、ポケット部２２２に収容した超音波プローブ１２０のケーブル１２２がその回転に応じて自由に移動できる空間となる。
【００３０】
また、外周部２５０は、円形リング状に形成されているが、そのうちの一カ所に、回転ホルダ部２２のスリット２２４とほぼ同じ幅のスリット２５４が設けられている。取付基部２６にも、支持台２４のスリット２５４に対応する間隙が形成されている。したがって、ポケット部２２２のスリット２２４を外周部２５０のスリット２５４に対して位置合わせすれば、ケーブル１２２がそのスリット２２４及び２５４を通ることができるので、ポケット部２２２に超音波プローブ１２０を収容したり、ポケット部２２２から超音波プローブ１２０を取り出したりすることができる。すなわち、ポケット部２２２のスリット２２４を外周部２５０のスリット２５４に対して位置合わせした当該ポケット部２２２の位置が、当該ポケット部２２２に対する超音波プローブ１２０の着脱位置となる。
【００３１】
支持台２４の軸部２４２の外周には、中心穴２４４とスリット２５４とを結ぶ線上の位置に、クリックピン２５６が突設されている。このクリックピン２５６は、回転ホルダ部２２のクリックスリット２３２に係合する形状及びサイズに形成されている。回転ホルダ部２２を軸部２４２に対して回転させていくときに、クリックスリット２３２がクリックピン２５６の位置にくると、クリックピン２５６とクリックスリット２３２が嵌り合い、ある程度強い力を加えないと回転ホルダ部２２が回転しない安定状態となる。このとき、回転ホルダ部２２のスリット２２４と支持台２４のスリット２５４とが同じ位置に並んだ状態となり、超音波プローブ１２０をポケット部２２２に受け入れ可能となる。この状態から、ユーザがある程度の力を入れて回転ホルダ部２２を回せば、樹脂等の弾力性のある材質で形成された軸受け壁２３０がわずかに撓ってクリックピン２５６がクリックスリット２３２から外れ、回転ホルダ部２２を回転させることができる。
【００３２】
また、支持台２４の根本部２４６近傍には、回転止め２５８が突設されている。この回転止め２５８は、回転ホルダ部２２のポケット部２２２が当たる位置に設けられる。したがって、回転ホルダ部２２が回転して、３つあるポケット部２２２のうちの端のものが回転止め２５８に当たると、それ以上その方向には回転しない。したがって、プローブホルダ構造体２０に超音波プローブ１２０が複数保持されていても、それらのケーブル１２２が撚れてしまうことがない。
【００３３】
また、支持台２４の中央部２４８のスリット２５４側には、中心穴２４４とスリット２５４とを結ぶ線上の位置に、ロック部材２６０が取り付けられる。このため、中央部２４８の、スリット２５４に向かい合う位置には、そのロック部材２６０の回転軸２６０ａを受ける軸受け２５９が設けられる。軸受け２５９の上部は、回転軸２６０ａの外径より小さい幅の開口となっており、この開口に対して回転軸２６０ａを押圧して嵌め込む。これにより、ロック部材２６０が、軸受け２５９に保持され、回転軸２６０ａ周りに回転可能となる。
【００３４】
ロック部材２６０は、回転ホルダ部２２を支持台２４に対してロックするための部材である。このロック部材２６０には、ネジ２６４により板バネ２６２がネジ止めされる。
【００３５】
また、支持台２４の中央部２４８の軸部２４２の背面側（図３で言えば下側）には、中央にネジ穴が形成された軸支持部２７０が、そのネジ穴を中心穴２４４と同軸に位置決めした状態で取り付けられる。そして、この軸支持部２７０のネジ穴に対し突出軸２７２が螺合する。これにより、例えば図４（ａ）に示すように、突出軸２７２は支持台２４の軸部２４２の上面の中心穴２４４から上方に突出し、これが回転ホルダ部２２の中心軸筒２２８と嵌合する。
【００３６】
以上に説明した回転ホルダ部２２，支持台２４，取付基部２６，ロック部材２６０，突出軸２７２及びロック係合板２８０を組み付けた状態を、図４（ａ）に示す。
【００３７】
図４（ａ）は、回転ホルダ部２２のあるポケット部２２２のスリット２２４が支持台２４のスリット２５４に位置合わせされた状態で、回転ホルダ部２２の中心軸（すなわち中心軸筒２２８の中心）とスリット２５４の中央とを通る面で切った場合の断面図である。この図に示すように、取付基部２６は、図中左端の部分でネジ３００により操作卓１２に取付固定される。支持台２４は、この取付基部２６に対してネジ３０２により固定される。ロック部材２６０は、この支持台２４の軸受け２５９（図３参照）に軸支される。突出軸２７２は、軸支持部２７０を介して支持台２４の軸部２４２に固定されている。そして、回転ホルダ部２２と支持台２４とは、軸受け穴２２６を軸部２４２と、中心軸筒２２８を突出軸２７２とそれぞれ嵌合させた状態で組み合わされる。
【００３８】
図４（ａ）に示す状態では、スリット２５４に位置合わせされたポケット部２２２には、超音波プローブ１２０が保持されていない。この状態での、ロック部材２６０近傍範囲Ａの様子を図４（ｂ）に拡大して示す。この図に示すように、板バネ２６２は、一方端がロック部材２６０の下部にネジ止めされ、他方端が支持台２４の中央部２４８の側面に対して当接されている。この板バネ２６２の作用により、ロック部材２６０は図中の矢印Ｘで示す方向に付勢されている。したがって、ポケット部２２２内に超音波プローブ１２０が収容されていない場合は、ロック部材２６０はこの付勢力で回転軸２６０ａを中心に矢印Ｘの方向に回転し、この結果、このロック部材２６０のヘッド部２６１が、ロック係合板２８０の係合溝２８２内に嵌り込む。この状態で、回転ホルダ部２２を回転させようとしても、支持台２４に固定されたロック部材２６０のヘッド部２６１が、回転ホルダ部２２に固定されたロック係合板２８０の係合溝２８２の内側面に引っかかって、回転させることができない。
【００３９】
なお、ロック部材２６０の下部に形成された張出部２６３が、ポケット部２２２の中心の真下に向かって張り出している。
【００４０】
これに対し、スリット２５４に対して位置合わせされたポケット部２２２に超音波プローブ１２０を収容すると、図５（ａ）に示す状態となる。このときのロック部材２６０の近傍範囲Ａの様子を図５（ｂ）に示す。
【００４１】
図５に示す状態では、超音波プローブ１２０のケーブル取付部１２０ａが、ポケット部２２２の中心から下に延びるので、このケーブル取付部１２０ａがロック部材２６０の張出部２６３を押圧する。この押圧力により、ロック部材２６０は図４の矢印Ｘとは逆向きに回転し、ヘッド部２６１がロック係合板２８０の係合溝２８２から外れる。これにより、回転ホルダ部２２は支持台２４に対して回転可能となる。
【００４２】
以上、本実施形態に係る超音波診断装置のプローブホルダ構造体２０の構造について説明した。次に、このプローブホルダ構造体２０の利用方法の例を説明する。
【００４３】
ユーザは、超音波プローブ１２０をプローブホルダ構造体２０にセットする場合は、空いているポケット部２２２が支持台２４のスリット２５４の位置に来るまで回転ホルダ部２２を回転させる。適切な位置（すなわちスリット２３２とスリット２５４とが整列する位置）に来ると、クリックピン２５６とクリックスリット２３２の嵌合によりカチリと音がすることで、ユーザはそれを知ることができる。この状態になると、ケーブル１２２をスリット２２４及びスリット２５４に通すことができるので、ユーザは超音波プローブ１２０をその空いているポケット部２２２にセットすることができる。
【００４４】
また、ポケット部２２２に保持された超音波プローブ１２０を取り出す場合は、そのポケット部２２２がスリット２５４の位置に来るまで回転ホルダ部２２を回転させてから、その超音波プローブ１２０を取り出せばよい。
【００４５】
スリット２５４の位置にあるポケット部２２２から超音波プローブ１２０を取り出すと、ロック部材２６０により回転ホルダ部２２が支持台２４にロックされる。したがって、超音波プローブ１２０をそのポケット部２２２に戻すまで、回転ホルダ部２２を回転させることはできない。
【００４６】
以上説明したように、本実施形態によれば、ポケット部２２２が所定の位置（この例ではスリット２５４の位置）にあるときにしか超音波プローブ１２０をセットすることができないことに加え、いったんポケット部２２２から超音波プローブ１２０を取り出すと、それをそのポケット部２２２に戻すまでは回転ホルダ部２２を回転させることができない。このような仕組みにより、回転ホルダ部２２のあるポケット部２２２に収容された超音波プローブ１２０が別のポケット部２２２に収容されるといった入れ替わりを防ぐことができる。したがって、超音波プローブ１２０の収容・取り出しを繰り返していくうちに、複数の超音波プローブ１２０の順番が複雑に入れ替わるというような従来の不具合は起こらないので、ケーブル１２２同士の絡み合いを防止できる。また、本実施形態の構成では、従来の構成では、ユーザは、奥にあるポケット部と手前にあるポケット部とで、出し入れの際に姿勢を変える必要がある場合があったが、プローブホルダ構造体２０に対する超音波プローブ１２０の出し入れを、常にユーザが作業しやすい同じ位置で行うことができる。
【００４７】
なお、このようなプローブホルダ構造体２０を用いる場合、超音波診断装置に装備する超音波プローブ１２０の数がポケット部２２２の数より少ないと、空いたポケット部２２２が着脱位置（スリット２５４の位置）に来ると、回転ホルダ部２２を回転させることができなくなる。そこで、このような場合は、図１や図２に示したように、空いたポケット部２２２にダミープローブ１５０を収容するようにすればよい。ダミープローブ１５０は、ポケット部２２２に嵌り込む円柱状の本体部１５２と、その本体部の中心から下方に延びる突出部１５４から構成される。本体部１５２をポケット部２２２に収容した場合、突出部１５４がポケット部２２２の底面のスリットから突出し、超音波プローブ１２０のケーブル取付部１２０ａと同様に、ロック部材２６０の張出部２６３を押圧してロックを解除する。
【００４８】
なお、以上説明した構成はあくまで一例であり、本発明の範囲内で様々な態様のプローブホルダ構造体が考えられる。
【００４９】
【発明の効果】
以上説明したように、本発明によれば、回転ホルダ部の保持部が所定の着脱位置にあるときにしか、その保持部に対して超音波プローブを保持させたり、その保持部から取り出したりすることができず、着脱位置の保持部から超音波プローブを取り出した場合、回転抑止部により、回転ホルダ部が超音波診断装置本体に対して回転動作できない状態となるので、複数の保持部に対する超音波プローブの配置を入れ替えるなどによるケーブルの絡み合いを防止することができる。
【図面の簡単な説明】
【図１】本発明に係る超音波診断装置の要部を示す斜視図である。
【図２】本発明に係る実施形態におけるプローブホルダ構造体の構成と、そのプローブホルダ構造体の超音波診断装置本体への取付構造を説明するための図である。
【図３】本発明に係る実施形態における回転ホルダ部と支持台の構造を示した図である。
【図４】組み立てられたプローブホルダ構造体の、超音波プローブがポケット部に保持されていない状態での断面を示す断面図である。
【図５】組み立てられたプローブホルダ構造体の、超音波プローブがポケット部に保持されている状態での断面を示す断面図である。
【図６】従来の超音波診断装置におけるプローブホルダを説明するための図である。
【符号の説明】
１０  ディスプレイ装置、１２  操作卓、２０  プローブホルダ構造体、２２回転ホルダ部、２４  支持台、２６  取付基部、１２０  超音波プローブ、１２２  ケーブル、２２２  ポケット部、２２４，２５４  スリット、２２６  軸受け穴、２２８  中心軸筒、２３０  軸受け壁、２３２  クリックスリット、２３４  ネジ穴部、２４２  軸部、２４４  中心穴、２４６  根本部、２４８  中央部、２５０  外周部、２５２  間隙、２５６  クリックピン、２５８  回転止め、２５９  軸受け、２６０  ロック部材、２６０ａ  回転軸、２６２  板バネ、２６４  ネジ、２７０  軸支持部、２７２  突出軸、２８０  ロック係合板、２８２  係合溝。
【図１】
2004305603.tif 000003
【図２】
2004305603.tif 000004
【図３】
2004305603.tif 000005
【図４】
2004305603.tif 000006
【図５】
2004305603.tif 000007
【図６】
2004305603.tif 000008